(57)【要約】      （修正有）【課題】カバーを大きく開けて清掃している。【解決手段】画像形成装置内に配置されたユニットを清掃する清掃部材６２と、前記清掃部材に接続する線材５２を通して前記清掃部材を移動させる操作部材５０と、前記線材が係合して移動方向を変換する移動方向変換手段５４とを備え、前記移動方向変換手段により、前記操作部材の操作方向と前記清掃部材の移動方向とが異なる。【選択図】図３
2010217359.tif 000002
【特許請求の範囲】
【請求項１】
画像形成装置内に配置されたユニットを清掃する清掃部材と、
前記清掃部材に接続する線材を通して前記清掃部材を移動させる操作部材と、
前記線材が係合して移動方向を変換する移動方向変換手段とを備え、
前記移動方向変換手段により、前記操作部材の操作方向と前記清掃部材の移動方向とが異
なることを特徴とする画像形成装置。
【請求項２】
前記清掃部材は巻き取り手段に接続され、前記操作部材の開放により巻き戻される請求項
１に記載の画像形成装置。
【請求項３】
前記ユニットはユーザのアクセス方向に対して直交して配置され、前記清掃部材の操作方
向は前記アクセス方向であり、清掃部材が移動する方向はアクセス方向に直角な方向であ
る請求項１に記載の画像形成装置。
【請求項４】
清掃される前記ユニットは、少なくともコロナ帯電器、露光器、または除電器のいずれか
１つ以上のユニットである請求項１に記載の画像形成装置。
【請求項５】
清掃される前記ユニットの各清掃部材は１つの操作部材の操作により移動することを特徴
とする請求項４に記載の画像形成装置。
【発明の詳細な説明】
【技術分野】
【０００１】
本発明はユーザアクセス方向が一方向の装置であっても、ユニットを取り外さずにユー
ザアクセス方向から清掃可能にした画像形成装置に関する。
【背景技術】
【０００２】
従来、感光体の感光層をオゾンや窒素酸化物から守るためにコロナ帯電装置（スコロト
ロン）を感光体の下方に配置する画像形成装置において、グリッドと放電ワイヤに清掃部
材を接触させ、放電ワイヤの清掃部材をグリッド清掃部材より遅らせて移動させることで
、清掃時にグリッドからトナー等の異物が放電ワイヤへ落下してもこれを清掃できるよう
にしたものが提案されている（特許文献１）。
【先行技術文献】
【特許文献】
【０００３】
【特許文献１】特開２００２−３１１６９１号公報
【発明の概要】
【発明が解決しようとする課題】
【０００４】
しかし、用紙カセットやカートリッジ交換、パネルオペレーションなどの操作を本体前
面から全て行えるようにし、側面からのアクションをなくしたユーザのアクセス方向が一
方向のフルフロントオペレーションの画像形成装置では、スコロトロンなどはユーザが引
き出して清掃しているのが実情で、また、ＬＥＤやレーザ露光装置なども、カバーを大き
く開けてユーザが清掃を行っている。
【０００５】
本発明はユーザのアクセス方向が一方向のフルフロントオペレーションの画像形成装置
においても、ユーザのアクセス方向からユニットを取り外さずに清掃可能にすることを目
的とする。
【課題を解決するための手段】
【０００６】
本発明に係る画像形成装置は、画像形成装置内に配置されたユニットを清掃する清掃部
材と、前記清掃部材に接続する線材を通して前記清掃部材を移動させる操作部材と、前記
線材が係合して移動方向を変換する移動方向変換手段とを備え、前記移動方向変換手段に
より、前記操作部材の操作方向と前記清掃部材の移動方向とが異なるので、ユーザのアク
セス方向からユニットを取り外さずに清掃することが可能となる。
また、本発明は、前記清掃部材は巻き取り手段に接続され、前記操作部材の開放により巻
き戻されるので、ユニットの清掃を簡単に行うことが可能となる。
また、本発明は、前記ユニットはユーザのアクセス方向に対して直交して配置され、前記
清掃部材の操作方向は前記アクセス方向であり、清掃部材が移動する方向はアクセス方向
に直角な方向であるので、ユーザのアクセス方向からユニットを取り外さずに清掃するこ
とが可能となる。
また、本発明は、清掃される前記ユニットは、少なくともコロナ帯電器、露光器、または
除電器のいずか１つ以上のユニットであるので、各ユニットの清掃を簡単に行うことが可
能となる。
また、本発明は、清掃される前記ユニットの各清掃部材は１つの操作部材の操作により移
動するので、各ユニットの清掃を簡単に行うことが可能となる。
【図面の簡単な説明】
【０００７】
【図１】本実施形態の画像形成装置を説明する図である。
【図２】本実施形態の帯電装置の清掃部材を説明する図である。
【図３】スコロトロンの清掃を説明する概念図である。
【図４】巻き取り部の詳細図である。
【発明を実施するための形態】
【０００８】
以下、本発明の実施形態を図面を参照しつつ説明する。図１は本実施形態の画像形成装
置を説明する図で、図１（ａ）は装置の蓋を開いた状態の側面図、図１（ｂ）は上面斜視
図である。本実施形態の画像形成装置は、ユーザのアクセス方向が前側１方向（フルフロ
ントオペレーション）であり、感光体１０、帯電器２０、露光器３０、プロセスユニット
４０、現像部４２、トナーカートリッジ４４等の各ユニットは、その軸がユーザのアクセ
ス方向に直交する方向に配置されている。操作部材５０は各ユニットを清掃する清掃部材
（詳細は後述）を操作するためのもので、その操作方向Ａはユーザのアクセス方向と同じ
であり、この操作により清掃部材移動方向Ｂはユーザのアクセス方向と直角で各ユニット
の軸方向に一致しており、これにより各ユニットの清掃を行えるようになっている。
【０００９】
図２は帯電ワイヤを有する帯電器の清掃部材を説明する図で、図２（ａ）は斜視図、図
２（ｂ）は横断面図である。感光体１０を帯電する帯電器２０の帯電ワイヤー２２には、
清掃ユニット６０の清掃部材６２が接触し、帯電ワイヤーに沿って摺動することで帯電ワ
イヤー２２の清掃を行う。なお、清掃部材６２はブラシ、ハケ、布等からなっている。
【００１０】
図３は帯電器２０としてコロナ帯電器であるスコロトロン帯電器の清掃を説明する概念
図である。スコロトロン帯電器には清掃部材６２が接触し、スコロトロン帯電器に沿って
移動してその放電ワイヤーやグリッドを清掃する。清掃部材６２は一端が巻き取り部７０
の巻き取り用線材７４に接続され、他端が連結用線材５２に接続され、連結用線材５２は
操作部材５０に接続されるとともに、例えば円柱状のピンや滑車等からなる方向変換器５
４で直角にスコロトロン帯電器の軸方向に変換される。操作部材５０の操作方向は画像形
成装置のフロント側でユーザのアクセス方向に一致しており、ユーザが操作部材５０を手
前側に引っ張ると連結用線材５２は方向変換器５４で方向変換されて清掃部材６２をスコ
ロトロン帯電器に沿って移動させ、ユーザが操作部材を放すと巻き取り部７０により巻き
取り用線材７４が巻き戻されて清掃部材６２は元の位置に戻される。なお、１つの操作部
材に対して、帯電器２０のほかに例えば少なくとも露光器や感光体１０の表面電位を除電
する除電器等のいずれか１つ以上のユニットに対しても清掃部材を接続し、１つの操作で
複数のユニットの清掃を同時に行えるようにすることも可能である。その場合の清掃部材
の移動ストロークは、清掃部位の最も長いユニット、例えば帯電器の長さに合わせるよう
にする。
【００１１】
本発明の実施形態では、ユーザのアクセス方向が前側１方向（フルフロントオペレーシ
ョン）の画像形成装置としたが、ユーザのアクセス方向はこれに限られるものではない。
ユーザのアクセス方向が前側以外の１方向であってもよいし、前側を含む２方向であって
もよい。これにより、いずれかのユーザのアクセス方向からユニットを取り外さずに清掃
することが可能となる。
【００１２】
また、本発明の実施形態では、方向変換器５４による清掃部材の操作方向Ａはユーザの
アクセス方向と同じであり、この操作により清掃部材移動方向Ｂはユーザのアクセス方向
と直角で各ユニットの軸方向に一致しているとしたが、操作方向Ａはこれに限られるもの
ではない。操作方向Ａと清掃部材移動方向Ｂとが直角以外の異なる方向であってもよい。
これにより、いずれかのユーザのアクセス方向からユニットを取り外さずに清掃すること
が可能となる。
【００１３】
図４は巻き取り部の詳細図である。巻き取り部７０は、渦巻きバネからなるぜんまい７
２に巻き取り用線材７４が接続された構造を有しており、ユーザが操作部材５０をぜんま
い７２の力より大きい力で引っ張ると、連結用線材５２により清掃部材６２が引っ張られ
、巻き取り用線材７４が繰り出されて清掃部材６２が移動し、ユーザが操作部材５０を放
すとぜんまい７２の力で巻き取り用線材７４が巻き戻されて清掃部材６２は初期位置に戻
る。
【符号の説明】
【００１４】
１０…感光体、２０…帯電器、２２…放電ワイヤー、３０…露光器、４０…プロセスユニ
ット、４２…現像部、４４…トナーカートリッジ、５０…操作部、５２…線材、５４…方
向変換器、６０…清掃ユニット、６２…清掃部材、７０…巻き取り部、７２…巻き取り用
線材、７４…ぜんまい。
【図１】
2010217359.tif 000003
【図２】
2010217359.tif 000004
【図３】
2010217359.tif 000005
【図４】
2010217359.tif 000006